(57)【要約】【課題】本発明は、液晶表示装置における液晶分子があまり遅く捩れるため影像がぼんやりになる現像を改善することができる平面光源装置及び平面光源駆動方法を提供する。【解決手段】本発明に係る平面光源装置及び平面光源駆動方法は、液晶表示装置に用いられ、前記平面光源装置は、第一基板と、枠組みと、第二基板と、蛍光層と、複数の支柱と、外部電極層などを備え、其の中、前記第一基板と第二基板との間に平面体腔を形成し、前記平面体腔内に混合ガスを埋め合わせ、前記外部電極層は、少なくとも複数の互いに独立する電極対を含み、複数の電極対が別々に駆動されてから、前記蛍光層が混合ガスを励起させて放電することにより、複数の対応する発光領域を産生し、複数の発光領域の間の間隔線と液晶表示装置の走査線は、だいたい互いに平行したり、又は互いに垂直し、複数の発光領域は、同時に、順番に、又は間隔方式で別々にスターティングされる。【選択図】図１
2009003402.tif 000002
【特許請求の範囲】
【請求項１】
液晶表示装置に用いられる平面光源装置であって、
第一基板と、
前記第一基板の上方に位置する蛍光層と、
前記第一基板の周囲に位置する枠組みと、
第二基板と、其の周囲が前記枠組みに接続されることにより、前記第一基板と第二基板との間に平面体腔を形成させ、前記平面体腔内に混合ガスを埋め合わせ、
前記平面体腔と対向する第一基板の他の面の表面上に位置し、少なくとも複数の互いに独立する電極対を含み、複数の電極対が別々に駆動されてから、前記蛍光層が混合ガスを励起させて放電することにより、複数の対応する発光領域を産生し、複数の発光領域の間の間隔線と液晶表示装置の走査線は、だいたい互いに平行したり、又は互いに垂直する外部電極層と、
を備えることを特徴とする平面光源装置。
【請求項２】
前記第一基板と前記第二基板との間に位置する複数の支柱を更に備え、前記平面体腔は、連通する平面体腔であって、前記混合ガスは、水銀金属を含まないことを特徴とする請求項１に記載の平面光源装置。
【請求項３】
前記第一基板と対向する前記外部電極層の他の片側に位置し、且つ前記外部電極層を覆い、前記外部電極層を保護することに用いられ、絶縁ゴムバンドである絶縁層を更に備えることを特徴とする請求項１に記載の平面光源装置。
【請求項４】
複数の電極対は、同時に、順番に、又は間隔方式で別々に駆動されることを特徴とする請求項１に記載の平面光源装置。
【請求項５】
液晶表示装置に用いられる平面光源装置であって、
第一基板と、
前記第一基板の上方に位置する蛍光層と、
前記第一基板の周囲に位置する枠組みと、
第二基板と、其の周囲が前記枠組みに接続されることにより、前記第一基板と第二基板との間に平面体腔を形成させ、前記平面体腔内に混合ガスを埋め合わせ、
前記平面体腔と対向する第一基板の他の面の表面上に位置する第一外部電極層と、
前記平面体腔と対向する第二基板の他の面の表面上に位置する第二外部電極層とを備え、
其の中、前記第一外部電極層と前記第二外部電極層は、別々に複数の互いに独立する電極を含み、複数の独立する電極対を形成し、複数の電極対が別々に駆動されてから、前記蛍光層が混合ガスを励起させて放電することにより、複数の対応する発光領域を産生し、複数の発光領域の間の間隔線と液晶表示装置の走査線は、だいたい互いに平行したり、又は互いに垂直することを特徴とする平面光源装置。
【請求項６】
前記第一基板と前記第二基板との間に位置する複数の支柱を更に備え、前記平面体腔は、連通する平面体腔であって、前記混合ガスは、水銀金属を含まないことを特徴とする請求項５に記載の平面光源装置。
【請求項７】
前記第一基板と対向する前記第一外部電極層の他の片側に位置し、且つ前記第一外部電極層を覆い、前記第一外部電極層を保護することに用いられ、絶縁ゴムバンドである第一絶縁層を更に備えることを特徴とする請求項５に記載の平面光源装置。
【請求項８】
前記第二基板と対向する前記第二外部電極層の他の片側に位置し、且つ前記第二外部電極層を覆い、前記第二外部電極層を保護することに用いられ、光透過性絶縁ゴムバンドである第二絶縁層を更に備えることを特徴とする請求項５に記載の平面光源装置。
【請求項９】
複数の電極対は、同時に、順番に、又は間隔方式で別々に駆動されることを特徴とする請求項５に記載の平面光源装置。
【請求項１０】
液晶表示装置の平面光源装置を駆動することに用いられる平面光源駆動方法であって、前記平面光源装置は、複数の発光領域を含み、複数の発光領域の間の間隔線と前記液晶表示装置の走査線は、だいたい互いに平行したり、又は互いに垂直し、前記方法は、
液晶表示装置の予定画面データ入力時間帯が始まる時、複数の発光領域を全部閉鎖するステップと、
液晶表示装置の実際画面データ入力時間帯が始まる時、複数の発光領域を順番にスターティングするステップと、
液晶表示装置の実際画面データ入力時間帯が終わる時、複数の発光領域を全部閉鎖するステップと、
を備えることを特徴とする平面光源駆動方法。
【請求項１１】
当発光領域毎が閉鎖される時、次の発光領域を同期にスターティングすることを特徴とする請求項１０に記載の平面光源駆動方法。
【請求項１２】
複数の発光領域において、前後発光領域のスタート時間帯は部分的に重なることを特徴とする請求項１０に記載の平面光源駆動方法。
【請求項１３】
複数の発光領域において、発光領域毎のスタート時間帯は同じであることを特徴とする請求項１０に記載の平面光源駆動方法。
【発明の詳細な説明】
【技術分野】
【０００１】
本発明は、液晶表示装置の平面光源装置及び平面光源駆動方法に係り、特に液晶表示装置において、表示ビデオデータが重なるため、影像がぼんやりになる現象を改善することができる液晶表示装置の平面光源装置及び平面光源駆動方法に関するものである。
【背景技術】
【０００２】
液晶表示装置は、現在の表示装置の主流技術の一つであって、その主な原理は、異なる電界の作用によって液晶分子が捩れる特性を利用し、透過した光線が液晶分子の捩れ角に応じて異なる透過輝度を生まさせ、更に前もって分布した三原色フィルタ層を介して、表示しようとする影像を表示することができる。
【０００３】
液晶表示装置の液晶分子は、自ら発光することができないため、光線を提供する光源装置がなければ、液晶表示装置は、順調に表示することができない。従来の光源装置は、一般的に線光源光を提供する冷陰極蛍光放電管を主にして、目的に達する為に、導光体を組み合わせ、前記導光体を介して、前記冷陰極蛍光放電管から提供する線光源光を面光源光に変換し、前記液晶表示装置に面光源光を提供する。
【０００４】
現在、液晶表示装置の表示領域がますます大きくなるため、従来の他の平面光源装置も発展され、其の主要技術は、平面式体腔内に混合ガスを埋め合わせ、且つ前記体腔内に蛍光材質を塗布し、前記体腔内の一つの電極対を利用して電界を提供し、前記混合ガスを励起して放電させてから、直接に液晶表示装置に平面光を提供し、導光体を介して、線光源光を面光源光に変換する必要がなく、大きいサイズの液晶表示装置における冷陰極蛍光放電管により暗い領域が生む欠点を改善することができる。
【０００５】
しかし、液晶表示装置が影像を表示する時、もし光源装置がずっと持続的に発光する状態を維持すると、前記液晶表示装置の液晶分子が電界の変換によって速く捩れることができない物理特性を有するため、表示ビデオデータが重なって、影像がぼんやりになり、この問題は表示品質に影響をもたらすものであり、すぐ解決しなければならない。
【発明の開示】
【発明が解決しようとする課題】
【０００６】
本発明の第一の目的は、前記課題を解決し、表示品質を高めることができる液晶表示装置の平面光源装置を提供することである。
【０００７】
本発明の第二の目的は、前記課題を解決し、表示品質を高めることができる液晶表示装置の平面光源駆動方法を提供することである。
【課題を解決するための手段】
【０００８】
前記第一目的を達成するため、本発明に係る液晶表示装置に用いられる平面光源装置は、第一基板と；前記第一基板の上方に位置する蛍光層と；前記第一基板の周囲に位置する枠組みと；第二基板と、其の周囲が前記枠組みに接続されることにより、前記第一基板と第二基板との間に平面体腔を形成させ、前記平面体腔内に混合ガスを埋め合わせ；前記第一基板と第二基板との間に位置する複数の支柱と；前記平面体腔と対向する第一基板の他の面の表面上に位置し、少なくとも複数の互いに独立する電極対を含み、複数の電極対が別々に駆動されてから、前記蛍光層が混合ガスを励起させて放電することにより、複数の対応する発光領域を産生し、複数の発光領域の間の間隔線と液晶表示装置の走査線は、だいたい互いに平行したり、又は互いに垂直する外部電極層とを備える。
【０００９】
上述の構想によって、前記平面光源装置は、絶縁層を更に備え、前記絶縁層は、前記第一基板と対向する外部電極層の他の片側に位置し、且つ前記外部電極層を覆い、前記外部電極層を保護することに用いられ、前記絶縁層は、絶縁ゴムバンドでよい。
【００１０】
上述の構想によって、前記平面体腔は、連通する平面体腔であって、前記混合ガスは、水銀金属を含まない。
【００１１】
上述の構想によって、前記複数の電極対は、同時に、順番に、又は間隔方式で別々に駆動されて、前記複数の発光領域を順番に又は間隔方式でスターティングさせ、影像データがまだ入力されていない同時に、対応する発光領域を閉めさせ、液晶表示装置における表示ビデオデータが重なるため影像がぼんやりになる現象を改善することができる。
【００１２】
前記第二目的を達成するため、本発明に係る平面光源駆動方法は、液晶表示装置の平面光源装置を駆動することに用いられ、前記平面光源装置は、複数の発光領域を含み、複数の発光領域の間の間隔線と前記液晶表示装置の走査線は、だいたい互いに平行したり、又は互いに垂直し、前記方法は、液晶表示装置の予定画面データ入力時間帯が始まる時、複数の発光領域を全部閉鎖するステップと、液晶表示装置の実際画面資料入力時間帯が始まる時、複数の発光領域を順番にスターティングするステップと、液晶表示装置の実際画面資料入力時間帯が終わる時、複数の発光領域を全部閉鎖するステップを備える。
【００１３】
上述の構想によって、発光領域毎が閉鎖される時、次の発光領域を同期にスターティングする。
【００１４】
上述の構想によって、複数の発光領域において、前後発光領域のスタート時間帯は、部分的に重なる。
【００１５】
上述の構想によって、複数の発光領域において、発光領域毎のスタート時間帯は同じだ。
【発明の効果】
【００１６】
本発明に係る液晶表示装置の平面光源装置は、外部電極層を備え、前記外部電極層は、少なくとも複数の互いに独立する電極対を備え、前記複数の電極対が別々に駆動されてから、蛍光層が混合ガスを励起させて放電することにより、複数の対応する発光領域を産生し、複数の発光領域の間の間隔線と液晶表示装置の走査線は、だいたい互いに平行したり、又は互いに垂直し、複数の発光領域は、同時に、順番に又は間隔方式でスターティングされることにより、液晶表示装置における液晶分子があまり遅く捩れるため影像がぼんやりになる現像を改善することができる。
【発明を実施するための最良の形態】
【００１７】
以下、図面を参照しながら、具体的な実施例を詳しく説明し、これにより、本発明の上述の目的と他の目的、特徴及び長所が、より容易に理解できる。
【００１８】
図１を参照する。本発明の第一実施形態に係わる平面光源装置の部分断面図である。本発明の第一実施形態に係わる平面光源装置１は、好ましくはガラス基板である第一基板１０と；前記第一基板１０の上方に位置し、蛍光材質の粉末を塗布して形成される蛍光層１４と；前記第一基板１０の周囲に位置する枠組み１３と；第二基板１２と、其の周囲が前記枠組み１３に接続されることにより、前記第一基板１０と前記第二基板１２との間に平面体腔１１を形成させ、前記枠組み１３は、前記第一基板１０と前記第二基板１２を支えることに用いられ、前記平面体腔１１は、連通された平面体腔であって、其の内に混合ガスを埋め合わせ、好ましくは水銀金属を含まない混合ガスであって；前記第一基板１０と前記第二基板１２との間に位置し、前記第一基板１０と前記第二基板１２を支え、且つ前記平行体腔１１の空間を維持することに用いられる複数の枝柱１５と；前記平面体腔１１と対向する第一基板１０の他の面の表面上に位置する外部電極層１６と；前記第一基板１０と対向する外部電極層１６の他の片側に位置し、且つ前記外部電極層１６を覆い、前記外部電極層１６を保護することに用いられ、好ましくは絶縁ゴムバンドである絶縁層１７とを備える。
【００１９】
其の中、前記外部電極層１６は、少なくとも複数の互いに独立する電極対（図に示していない）を含み、前記複数の電極対が前記平面体腔１１の外部に位置するため、前記複数の電極対が別々に駆動されてから、駆動エネルギーは、電気エネルギー障害（例えば、ガラス材質からなる第一基板１０である）を介在することによって伝えなければならなく、前記複数の電極対に別々に対応する蛍光層１４が混合ガスを励起させて放電することにより、複数の対応する発光領域１００、１００’などを産生し、前記第二基板１２より外部方向に発光されることになる。図２を参照する。複数の発光領域１００、１００’の間の間隔線１０１と液晶表示装置２の走査線２０は、だいたい互いに平行し、平面光源装置１全体を複数の互いに平行する発光領域１００、１００’に分けさせる。本実施形態において、前記平面光源装置１は、四つの発光領域に分けられるが、発光領域の数量は、液晶表示装置２の実際の大きさによって定めることができる。複数の電極対の分布と配置は、前記発光領域の設計需要によって定めるため、これらに制限されず、時にはある液晶表示装置の走査線の配置に配合する為に、複数の発光領域１００、１００’の間の間隔線１０１と液晶表示装置２の走査線２０がだいたい互いに垂直（図に示していない）しても好い。
【００２０】
前記構成によって、前記複数の電極対は、同時に、順番に、又は間隔方式で別々に駆動されて、複数の発光領域１００、１００’を同時に、順番に、又は間隔方式で別々にスターティングさせる。もし複数の発光領域のスタート時間と閉鎖時間が前記液晶表示装置２のデータ信号輸入時間に配合することができると、前記液晶表示装置２のデータ信号のため影像が重なる時、ちょうど対応する発光領域を閉鎖させて、影像を表示する時、ぼんやりになる現象が産生することを避けることができる。だから、本発明の複数の発光領域の数量は、前記液晶表示装置２のデータ輸送量とデータ輸送時間によって定めることができ、上述の実施形態の四つの発光領域は、ただ一つの実施例であって、これに制限されるものではない。
【００２１】
図３を参照する。本発明の第二実施形態に係わる平面光源装置の部分断面図である。本実施形態の平面光源装置３も同様に第一基板３０と、蛍光層３４と、枠組み３３と、第二基板３２と、複数の枝柱３５などを備え、其の基本的な構成は、上述の実施形態と一致で、其の中、前記第一基板３０と前記第二基板３２との間に平面体腔３１を形成し、前記平面体腔３１は、連通された平面体腔であって、其の内に混合ガスを埋め合わせる。相違点として、本実施形態に係る平面光源装置３は、前記平面体腔３１と対向する第一基板３０の他の面の表面上に位置する第一外部電極層３６と；前記平面体腔３１と対向する第二基板３２の他の面の表面上に位置する第二外部電極層３８と；前記第一基板３０と対向する前記第一外部電極層３６の他の片側に位置し、且つ前記第一外部電極層３６を覆い、前記第一外部電極層３６を保護することに用いられる第一絶縁層３７と；前記第二基板３２と対向する前記第二外部電極層３８の他の片側に位置し、且つ前記第二外部電極層３８を覆い、前記第二外部電極層３８を保護することに用いられ第二絶縁層３９とを備え、前記第一絶縁層３７と前記第二絶縁層３９は、別々に絶縁ゴムバンドであることが好ましく、其の中、前記第二絶縁層３９は、光透過性絶縁ゴムバンドである。
【００２２】
其の中、前記第一外部電極層３６と前記第二外部電極層３８は、別々に複数の互いに独立する電極（図に示していない）を含み、複数の独立する電極対（図に示していない）を形成する。前記複数の電極対が皆前記平面体腔３１の外部に位置するため、前記複数の電極対が別々に駆動されてから、駆動エネルギーは、依然に電気エネルギー障害（例えば、ガラス材質からなる第一基板３０と第二基板３２である）を介在することによって伝えなければならなく、前記複数の電極対に別々に対応する蛍光層３４が混合ガスを励起させて放電することにより、同様に複数の対応する発光領域１００、１００’などを産生し、前記第二基板３２より外部方向に発光されることになる。再び図２を参照する。複数の発光領域１００、１００’の間の間隔線１０１と液晶表示装置２の走査線２０は、だいたい互いに平行し、平面光源装置１全体を複数の互いに平行する発光領域１００、１００’に分けさせる。本実施形態において、前記平面光源装置１は、四つの発光領域に分けられるが、発光領域の数量は、液晶表示装置２の実際の大きさによって定めることができる。前記複数の電極対の分布と配置は、前記発光領域の設計需要によって定めるため、これらに制限されず、時にはある液晶表示装置の走査線の配置に配合する為に、複数の発光領域１００、１００’の間の間隔線１０１と液晶表示装置２の走査線２０がだいたい互いに垂直（図に示していない）しても好い。
【００２３】
本発明に係わる平面光源駆動方法は、平面光源装置を駆動して発光させ、且つ液晶表示装置に提供し、其の中、前記平面光源装置は、複数の互いに平行する発光領域を備え、複数の発光領域の間の間隔線と液晶表示装置の走査線は、だいたい互いに平行したり、又は互いに垂直し、前記方法は、以下のステップを備える。
【００２４】
先ず、図４を参照する。液晶表示装置の予定画面データ入力時間帯４０が始まる時、複数の発光領域を全部閉鎖し、即ち第一間隔時間帯４２内にいかなる発光領域もスターティングされなく、其の中、予定画面データ入力時間帯４０は、一般的な液晶表示装置のデータ入力のプロトコル規格であって、例えば、１２０ヘルツ（Ｈｚ）の周波数で、前記予定画面データ入力時間帯４０を８.３ミリセカンド（ｍｓ）に予定し、前記第一間隔時間帯４２（即ちいかなる発光領域もスターティングされなかった時間区間）は、例えば０.０５２ミリセカンド（ｍｓ）であって、前記第一間隔時間帯４２において、本当の影像データがまだ入力されていなかったので、其の時間帯にいかなる発光領域もスターティングされなく、影像を間違いに表示する現像を減少することができる。
【００２５】
続いて、液晶表示装置の実際画面データ入力時間帯４１が始まる時、複数の発光領域を順番にスターティングし、其の中、実際画面データ入力時間帯４１は、液晶表示装置が実際に影像データを入力する時間間隔である。一般的に、前記実際画面データ入力時間帯４１が始まる時間点は、前記予定画面データ入力時間帯４０が始まる時間点より遅く、あまり早く入力したため、影像データ整体のデータの不完全状態を形成し、更に影像が間違いに表示する現像の発生を防止する。本実施形態において、平面光源装置は、四つの互いに平行する発光領域を含み、複数の発光領域スタート時間帯５１、５２、５３、５４を順番にスターティングするとは、複数の発光領域を一つ一つにスターティングすることを示し、換言すれば、当発光領域毎が閉鎖される時、次の発光領域を同期にスターティングし、例えば、液晶表示装置の実際画面データ入力時間帯４１は、７.９２ミリセカンド（ｍｓ）であるが、複数の発光領域において、発光領域毎のスタート時間帯は同じで、別々に１.９８ミリセカンド（ｍｓ）である。図５を参照する。他の実施形態に係る平面光源装置も四つの互いに平行する発光領域を含むが、複数の発光領域スタート時間帯５５、５６、５７、５８は部分的に重なり、換言すれば、一つの発光領域が閉鎖される前に、先ず次の発光領域をスターティングしてから、前もってスターティングされた発行領域が閉鎖される。前記実施形態は、入力した影像データの状態と発光領域の数量によって定める。
【００２６】
最後、液晶表示装置の実際画面データ入力時間帯４１が終わる時、複数の発光領域を全部閉鎖し、即ち第二間隔時間帯４３内にいかなる発光領域もスターティングされなく、例えば、前記第二間隔時間帯４３（即ちいかなる発光領域もスターティングされなかった時間区間）は、０．０５２ミリセカンド（ｍｓ）であることができ、前記第二間隔時間帯４３は、液晶表示装置の中の表示電気容量が貯蓄電流を放出することにするから、この時間帯にいかなる発光領域もスターティングされなく、したがって影像が間違いに表示する現像を減少することができる。
【００２７】
図６を参照する。他の実施形態において、設計の需要に基づいて、図に示す発光領域スタート時間帯５５’、５６’、５７’、５８’は、実際画面データ入力時間帯４１と同期でもよく（同時にスターティングしたり閉鎖したりする）、即ち複数の電極対が同時に駆動され、実際の設計とテストを通じて、同じな効能に達することができる。
【００２８】
以上説明した実施例は、ただ本発明の技術思想や特徴を説明するためのものであり、本発明の特許請求の範囲は、前記実施例によって制限されず、本発明にかかる精神による等価な変更や修正は、本発明の特許請求の範囲に含まれ、本発明の保護範囲は、以下の特許請求の範囲から決まる。
【図面の簡単な説明】
【００２９】
【図１】本発明の第一実施形態に係る平面光源装置の部分断面図である。
【図２】本発明の第一実施形態に係る平面光源装置の複数の発光領域が液晶表示装置に対応する状態を示す図である。
【図３】本発明の第二実施形態に係る平面光源装置の部分断面図である。
【図４】本発明の平面光源駆動方法の駆動時間順序を示す図である。
【図５】本発明の他の実施形態に係る平面光源駆動方法の駆動時間順序を示す図である。
【図６】本発明の他の実施形態に係る平面光源駆動方法の駆動時間順序を示す図である。
【符号の説明】
【００３０】
１、３  平面光源装置
２  液晶表示装置
１０、３０  第一基板
１１、３１  平面体腔
１２、３２  第二基板
１３、３３  枠組み
１４、３４  蛍光層
１５、３５  支柱
１６  外部電極層
１７  絶縁層
３６  第一外部電極層
３７  第一絶縁層
３８  第二外部電極層
３９  第二絶縁層
４０  予定画面データ入力時間帯
４１  実際画面データ入力時間帯
４２  第一間隔時間帯
４３  第二間隔時間帯
５１、５２、５３、５４、５５、５６、５７、５８、５５’、５６’、５７’、５８’  発光領域スタート時間帯
１００、１００’  発光領域
１０１  発光領域間隔線
【図１】
2009003402.tif 000003
【図２】
2009003402.tif 000004
【図３】
2009003402.tif 000005
【図４】
2009003402.tif 000006
【図５】
2009003402.tif 000007
【図６】
2009003402.tif 000008